【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
パーソナルコンピュータ（ＰＣ）内部の複数のオーディオ／ビジュアル（Ａ／Ｖ）装置を遠隔に制御する方法であって、
遠隔制御装置上の各ボタンを所定のキーコードとマッピングし、
前記キーコードに基づいて、前記ＰＣを介して、選択されたボタンからのデータ信号を、前記ＰＣに接続された複数のＡ／Ｖ装置の動作を制御するためのデバイス機能に変換することを特徴とする方法。
【請求項２】
前記所定のキーコードと前記デバイス機能との関連付けを行うために参照テーブルを使用することを特徴とする請求項１に記載の方法。
【請求項３】
前記データ信号の変換では、
キーコードデータ信号を受信し、
前記複数のＡ／Ｖ装置の夫々毎の前記キーコードデータ信号の夫々と対応するコントロール機能との間の複数のマッピングを有する参照テーブルにアクセスし、
前記参照テーブルを使用して、前記受信されたキーコードデータ信号を特定のコントロール機能に変換することを特徴とする請求項１に記載の方法。
【請求項４】
前記参照テーブルの使用では更に、前記ＰＣ内のボタンマッピングコードを提供することを特徴とする請求項２又は３に記載の方法。
【請求項５】
前記デバイス機能は更に複数のＣＤ／ＤＶＤ及びＴＶ／ＤＶＲ機能を含むことを特徴とする請求項２から４のいずれか一項に記載の方法。
【請求項６】
複数のオーディオ／ビジュアル（Ａ／Ｖ）装置を遠隔に制御するシステムであって、
前記複数のＡ／Ｖ装置の制御にアクセスするためのデータ信号をワイヤレスに送信するために選択可能な複数のボタンを備える単一の信号遠隔制御装置と、
前記データ信号を、対応するコントロール機能であって、前記選択可能な複数のボタンと自動的に関連付けられる特定のＡ／Ｖデバイスのためのコントロール機能に変換する、ＰＣに接続された接続ハードウェアと、
前記対応するコントロール機能を使用して前記複数のＡ／Ｖ装置を制御するＰＣと
を備えることを特徴とするシステム。
【請求項７】
前記接続ハードウェアは前記複数のＡ／Ｖ装置と前記ＰＣとを接続することを特徴とする請求項６に記載のシステム。
【請求項８】
前記接続ハードウェアは、前記複数のＡ／Ｖ装置を前記ＰＣに接続するチューナボックスを備えることを特徴とする請求項７に記載のシステム。
【請求項９】
前記接続ハードウェアは、参照テーブルを使用して、前記データ信号を前記複数のＡ／Ｖ装置の動作を選択及び制御するための対応するコントロール機能に変換するグラフィックスボードを更に備え、
前記選択可能な複数のボタンの第１セットは、一又は複数のＡ／Ｖ装置を選択するためにマッピングされており、
前記選択可能な複数のボタンのうちの第２セットは、選択された一又は複数のＡ／Ｖ装置の機能としての動作を制御するためにマッピングされていることを特徴とする請求項８に記載のシステム。
【請求項１０】
前記チューナボックスは、単一の前記遠隔制御装置からの前記データ信号を受信し、前記受信したデータ信号を前記グラフィックボードに送信するための赤外線ポートレシーバ及びレジスタを更に備えることを特徴とする請求項９に記載のシステム。
【請求項１１】
前記コントロール機能は、複数のＤＶＤ機能及びＤＶＲ機能のうちの一つを更に含むことを特徴とする請求項６又は７に記載のシステム。
【請求項１２】
複数のボタンを有する単一の遠隔制御装置を用いて、パーソナルコンピュータ（ＰＣ）内部の複数のオーディオ／ビジュアル（Ａ／Ｖ）装置を遠隔に制御する方法であって、
（前記複数のボタンのうち、前記複数のＡ／Ｖ装置のうちの一つを制御するための少なくとも一つのボタンを動作させることにより、前記遠隔制御装置からデータ信号を供給し、
前記複数のボタンのうちアクティブな少なくとも一つのボタンに基づいて、前記データ信号に関連付けられる特定のＡ／Ｖ装置のためのコントロール機能及び前記特定のＡ／Ｖ装置を自動的に決定し、
前記コントロール機能に基づいて、前記特定のＡ／Ｖ装置を制御するための情報を供給することを特徴とする方法。
【請求項１３】
パーソナルコンピュータ（ＰＣ）内部の複数のオーディオ／ビジュアル（Ａ／Ｖ）装置を遠隔に制御するためのプログラム命令であって、
複数のボタンの第１セットが一又は複数のＡ／Ｖ装置の動作を選択し且つ複数のボタンの第２セットが前記選択されたＡ／Ｖ装置の機能としての動作を制御する、遠隔制御装置上の各ボタンと所定のキーコードとのマッピングにアクセスし、前記キーコードに基づいて、前記ＰＣを介して、選択されたボタンからのデータ信号をデバイス機能に変換するためのプログラム命令を格納するコンピュータ読取可能媒体。
【請求項１４】
各ボタンと前記データ信号をデバイス機能に変換するための所定のキーコードとの複数のマッピングを含む参照テーブルを使用するためのプログラム命令を更に備えることを特徴とする請求項１３に記載のコンピュータ読取可能媒体。
【請求項１５】
前記参照テーブルを使用するためのプログラム命令は、前記ＰＣ内のボタンマッピングコードを提供するためのプログラム命令を更に含むことを特徴とする請求項１４に記載のコンピュータ読取可能媒体。
【請求項１６】
前記デバイス機能は、複数のＣＤ／ＤＶＤ及びＴＶ／ＤＶＲ機能を更に含むことを特徴とする請求項１４に記載のコンピュータ読取可能媒体。
【請求項１７】
パーソナルコンピュータ（ＰＣ）内部の複数のオーディオ／ビジュアル（Ａ／Ｖ）装置を遠隔に制御するシステムであって、
データ信号を無線で送信するための選択可能なボタンがついた遠隔制御装置と、
前記ＰＣ、前記複数のＡ／Ｖ装置及び前記遠隔制御装置に接続され、前記ＰＣに送信するための前記データ信号を受信するチューナボックスと、
参照テーブルを使用して、前記複数のＡ／Ｖ装置の動作を選択及び制御するために、前記データ信号を対応するコントロール機能に自動的に変換するグラフィックボードを備える前記ＰＣと
を備え、
前記選択可能な複数のボタンの第１セットは、一又は複数のＡ／Ｖ装置を選択するためにマッピングされており、
前記選択可能な複数のボタンのうちの第２セットは、選択された一又は複数のＡ／Ｖ装置の機能としての動作を制御するためにマッピングされていることを特徴とするシステム。
【請求項１８】
パーソナルコンピュータ（ＰＣ）内部の複数のオーディオ／ビジュアル（Ａ／Ｖ）装置を遠隔に制御するシステムであって、
前記複数のＡ／Ｖ装置に接続され、前記ＰＣに送信するためのデータ信号を受信する赤外線ポートレシーバ及びレジスタを備えるチューナボックスと、
前記データ信号を対応するコントロール機能に自動的に変換するためのボタンマッピングソフトウェア及び前記対応するコントロール機能に応じて前記複数のＡ／Ｖ装置を制御するための情報を提供するソフトウェアドライバを含むグラフィックボードを備える前記ＰＣと
を備え、
前記データ信号の第１セットは、一又は複数のＡ／Ｖ装置を選択するためにマッピングされており、
前記データ信号の第２セットは、選択された一又は複数のＡ／Ｖ装置の機能としての動作を制御するためにマッピングされており、
前記チューナボックスは、前記ＰＣの前記グラフィックボードに接続されていることを特徴とするシステム。
【請求項１９】
前記複数のＡ／Ｖ装置の制御にアクセスするための前記データ信号をワイヤレスに送信するための選択可能な複数のボタンを備える遠隔制御装置を更に備えることを特徴とする請求項１８に記載のシステム。
【請求項２０】
パーソナルコンピュータ（ＰＣ）内部の複数のオーディオ／ビジュアル（Ａ／Ｖ）装置を遠隔に制御する方法であって、
複数のボタンの第１セットが一又は複数のＡ／Ｖ装置の動作を選択し且つ複数のボタンの第２セットが前記選択されたＡ／Ｖ装置の機能としての動作を制御する、遠隔制御装置上の各ボタンを所定のキーコードにマッピングし、
参照テーブル中に前記マッピングを格納し、
前記複数のボタンの第１セットのうちの選択された一つに相当する第１データ信号を受信し、
前記ＰＣに接続された特定のＡ／Ｖ装置の動作を選択するために、前記参照テーブルを使用して前記第１データ信号を第１コントロール機能に変換し、
前記複数のボタンの第２セットのうちの選択された一つに相当する第２データ信号を受信し、
前記ＰＣに接続された特定のＡ／Ｖ装置の動作を選択するために、前記参照テーブルを使用して前記第２データ信号を第２コントロール機能に変換し、
前記複数のボタンの第２セットのうちの選択された一つは、特定のＡ／Ｖ装置のための対応するコントロール機能に自動的に関連付けられることを特徴とする方法。
【請求項２１】
パーソナルコンピュータ（ＰＣ）内部の複数のオーディオ／ビジュアル（Ａ／Ｖ）装置を遠隔に制御するためのコンピュータ読取可能記録媒体であって、
グラフィカルユーザインターフェースを必須とすることなく、複数のボタンの第１セットが一又は複数のＡ／Ｖ装置の動作を選択し且つ複数のボタンの第２セットが前記選択されたＡ／Ｖ装置の機能としての動作を制御する、遠隔制御装置上の各ボタンを参照テーブル内の所定のキーコードとマッピングし、
参照テーブルを使用して、一又は複数の前記所定のキーコードを含む前記遠隔制御装置からのデータ信号をデバイス機能に自動的に変換し、
前記デバイス機能に基づいて、前記ＰＣを介して、前記Ａ／Ｖ装置の選択及び動作を制御するプログラム命令を備えることを特徴とするコンピュータ読取可能記録媒体。